(57)【要約】【課題】加熱調理器本体のキャビネットへの固定作業を容易に行え、かつ確実に固定できる組込み式加熱調理器を洗浄物の汚れ部分の変性が起こるのを防ぎ、洗浄効率の良い洗浄装置およびその洗浄装置を利用した家電機器を得る。【解決手段】加熱調理器本体２をキャビネット１の角穴部１ａに装着した後、キャビネット１内から固定金具８のフックＡ１４、フックＢ１５を側部外郭３の角穴Ａ１１、角穴Ｂ１２に嵌合させる。その後、凸部１６を角穴Ｃ１３に嵌合する。そして、ネジ１７を回して諦着するして固定金具８を固定する。固定金具８が動くことがなく、容易に本体２をキャビネット１へ固定できる。【選択図】　　　図１
2004053239.tif 000002
【特許請求の範囲】
【請求項１】
上面に開口部を有したキャビネットに落とし込むように、下部が前記開口部より小さく上部が前記開口部より大きい概Ｔ字の断面形状を有する本体を備え、前記本体とキャビネットとを固定させる固定金具を有し、前記本体の側部外郭と前記固定金具とを嵌合により固定させることを特徴とする組込み式加熱調理器。
【請求項２】
前記本体の側部外郭と固定金具との嵌合は、本体の側部外郭に角穴を穿設し、固定金具に前記角穴と嵌合する突起またはフックを有してなることを特徴とする請求項１記載の組込み式加熱調理器。
【請求項３】
前記固定金具とキャビネットの固定をネジにより行うことを特徴とする請求項１または２いずれか記載の組込み式加熱調理器。
【請求項４】
前記固定金具に、少なくとも前記本体の側部外郭側に突出部を有するフランジを設けたことを特徴とする請求項１〜３いずれか記載の組込み式加熱調理器。
【請求項５】
前記固定金具とキャビネットの固定をネジにより行うものであって、前記フランジをネジを中心に略円形形状に形成したことを特徴とする請求項４記載の組込み式加熱調理器。
【発明の詳細な説明】
【０００１】
【産業上の利用分野】
この発明は、本体をキャビネットへ組込んで形成される組込み式加熱調理器に関するものである。
【０００２】
【従来の技術】
図９は、例えば特開平５−４１２７３号公報に示された従来の組込み式加熱調理器を示す要部断面図である。図において、３１はキャビネット、３２はキャビネット３１の角穴部３１ａに装着される加熱調理器本体で、金属製の側部外郭３３と、側部外郭３３の側壁に垂直部３３ａに接着固定される調理物３４ａを載せるプレートと、外側に金属製の補強部材３５ａがネジ３５ｂにより配設される底部外郭３５と、プレート３４の下部位置に配設されるコイル３６と、コイル３６に高周波電流を供給する制御回路３７とで構成される。３８は本体３２をキャビネット３１に固定させるために使用する固定金具で、底部外郭３５より大きく、プレート３４より小さく形成される角穴部３１ａに本体３２を装着して固定金具３８によりキャビネット３１に固定する。３９はキャビネット３１の裏面部に固定され、接続コード４０で本体３２と接続される操作部である。
【０００３】
このような従来の組込み式加熱調理器においては、本体３２のキャビネット３１への固定は、固定金具３８を角穴部３１ａの開口部分より外側、つまりキャビネット３１の裏面部で固定するため、プレート３４を角穴部３１ａ（垂直部３３ａ）に装着後、プレート３４の下方、つまりキャビネット３１の下にもぐり込んで本体３２の側部外郭３３とプレート３４とを固定金具３８に設けられたネジ３８ａを締め固定する。
【０００４】
【発明が解決しようとする課題】
上記のような従来の組込み式加熱調理器では、キャビネット３１への本体３２の固定作業は、狭いキャビネット３１内で固定作業を行わなければならず、特に、固定金具３８と本体３２との取り付けについては横向方向の取り付けとなるため、ネジ締めなどの固定作業の場合、非常に作業がし難く、時間がかかるという問題点があった。
【０００５】
この発明は、上述のような課題を解決するためになされたもので、加熱調理器本体のキャビネットへの固定作業を容易に行え、かつ確実に固定できる組込み式加熱調理器を得るものである。
【０００６】
【課題を解決するための手段】
この発明にかかる組込み式加熱調理器においては、上面に開口部を有したキャビネットに落とし込むように、下部が前記開口部より小さく上部が前記開口部より大きい概Ｔ字の断面形状を有する本体を備え、前記本体とキャビネットとを固定させる固定金具を有し、前記本体の側部外郭と前記固定金具とを嵌合により固定させるものである。
【０００７】
また、前記本体の側部外郭と固定金具との嵌合は、本体の側部外郭に角穴を穿設し、固定金具に前記角穴と嵌合する突起またはフックを有してなるものである。
【０００８】
また、前記固定金具とキャビネットの固定をネジにより行うものである。
【０００９】
また、前記固定金具に、少なくとも前記本体の側部外郭側に突出部を有するフランジを設けたものである。
【００１０】
また、前記固定金具とキャビネットの固定をネジにより行うものであって、前記フランジをネジを中心に略円形形状に形成したものである。
【００１１】
【発明の実施の形態】
実施の形態１．
図１はこの発明の実施の形態１である組込み式加熱調理器を示す要部断面図である。図において、１はキャビネット、２はキャビネット１の角穴部１ａに装着される加熱調理器本体で、金属製の側部外郭３と、側部外郭３の側壁に垂直部３ａに接着固定される調理物４ａを載せるプレートと、外側に金属製の補強部材５ａがネジ５ｂにより配設される底部外郭５と、プレート４の下部位置に配設されるコイル６と、コイル６に高周波電流を供給する制御回路７とで構成される。８は本体２をキャビネット１に固定させるために使用する固定金具で、底部外郭５より大きく、プレート４より小さく形成される角穴部１ａに本体２を装着して固定金具８によりキャビネット１に固定する。９はキャビネット１の裏面部に固定され、接続コード１０で本体２と接続される操作部である。
【００１２】
次に、固定金具８と本体２の側部外郭３との嵌合部分について説明する。図２は固定金具８の斜視図、図３は側部外郭３の固定金具８との嵌合部分の拡大斜視図である。図において、１１，１２は側部外郭３に鉛直方向で平行状態にそれぞれ穿設される鉛直方向で平行状態の角穴Ａ，Ｂ、１３は角穴Ａ１１と角穴Ｂ１２に対し垂直方向に側部外郭３に穿設された角穴Ｃ、１４，１５は角穴Ａ１１と角穴Ｂ１２にそれぞれ嵌合するように固定金具８に形成されたフックＡ，Ｂ、１６は角穴Ｃ１３に嵌合するように固定金具８に形成される凸部、１７は固定金具８をキャビネット２に固定するネジである。
【００１３】
このように構成された組込み式加熱調理器における加熱調理器本体２のキャビネット１への固定について、図１〜図３と図４の固定金具８と側部外郭３との固定部分の拡大断面図に基づいて説明する。まず、加熱調理器本体２をキャビネット１の角穴部１ａに装着した後、キャビネット１内から固定金具８のフックＡ１４、フックＢ１５を側部外郭３の角穴Ａ１１、角穴Ｂ１２に嵌合させる。その後、凸部１６を角穴Ｃ１３に嵌合する（図４（ａ）参照）。そして、ネジ１７を回して諦着し、キャビネット１に本体２を確実に固定することができる（図４（ｂ）参照）。このとき、固定金具８はフックＡ１４、フックＢ１５により側部外郭３に嵌合保持されているので落下することがなく、さらに凸部１６により上下への動きも規制されるため、ネジ１７を回して諦着するときに固定金具８が動いてしまうことがなく、固定金具の取付・固定の作業を容易に行なうことができる。
【００１４】
なお、加熱調理器本体２をキャビネット１に固定させる固定金具８と本体２との嵌合部分であるフック部の形状および数はこの限りではなく、嵌合されて上下方向への動きが規制されるようなものであれば良い。
【００１５】
実施の形態２．
図５はこの発明の実施の形態２である組込み式加熱調理器を示す要部断面図である。図において、１〜７、９は上記実施の形態１と同一であり、その説明は省略する。１０は本体２をキャビネット１に固定させるために使用する固定金具で、底部外郭５より大きく、プレート４より小さく形成される角穴部１ａに本体２を装着して固定金具２０によりキャビネット１に固定するものである。
【００１６】
次に、固定金具２０と本体２の側部外郭３との嵌合部分について説明する。図６は固定金具２０の斜視図、図７は側部外郭３の固定金具２０との嵌合部分の拡大斜視図である。図において、２１，２２は側部外郭３に鉛直方向で平行状態にそれぞれ穿設される角穴Ａ，Ｂ、２３は角穴Ａ２１と角穴Ｂ２２に対し垂直方向に側部外郭３に穿設された角穴Ｃ、２４，２５は角穴Ａ２１と角穴Ｂ２２にそれぞれ嵌合するように固定金具２０に形成されたフックＡ，Ｂ、２６は角穴Ｃ２３に嵌合するように固定金具２０に形成される凸部、２７は固定金具２０の傾きを抑えるフランジで、少なくとも側部外郭３側に突出部を形成するもので、本実施の形態２では略円形形状のフランジである。２８は固定金具２０をキャビネット１に固定するネジである。
【００１７】
このように構成された組込み式加熱調理器における加熱調理器本体２のキャビネット１への固定について、図５〜図７と図８の固定金具２０の側部外郭３との固定部分の拡大断面図に基づいて説明する。まず、加熱調理器本体２をキャビネット１の角穴部１ａに装着した後、キャビネット１内から固定金具２０のフックＡ２４、フックＢ２５を側部外郭３の角穴Ａ２１、角穴Ｂ２２に嵌合される。その後、凸部２６を角穴Ｃ２３に嵌合する。そして、ネジ２８を回して諦着し、キャビネット１に本体２を固定する。このとき、固定金具２０はフックＡ２４、フックＢ２５により側部外郭３に嵌合保持されているので落下することがなく、また凸部２６により上下への動きも規制され、さらにはフランジ２７によりネジ２８を下方から押し上げたときに固定金具２０のフックＡ２４，Ｂ２５が角穴Ａ，Ｂ部分で本体２と嵌合しているため、その嵌合部分を中心に固定金具２０の傾き（矢印Ａの側部外郭３側方向への傾き）が生じるが、フランジ２７が側部外郭３にぶつかることでその傾きを規制することができ、ネジ２８の先端がキャビネット１と確実に諦着され、固定金具の取付・固定の作業を容易に行なうことができる。
【００１８】
また、フランジ２７を略円形形状とすることで、ネジ２８を中心に遠心方向に均等にフラン２７の重さがかかるので、バランスが良く、固定金具の取付・固定の作業に影響を与えることがなく、容易に作業を行える。
【００１９】
【発明の効果】
この発明は、以上説明したように構成されているので、以下に示すような効果を奏する。
【００２０】
上面に開口部を有したキャビネットに落とし込むように、下部が前記開口部より小さく上部が前記開口部より大きい概Ｔ字の断面形状を有する本体を備え、前記本体とキャビネットとを固定させる固定金具を有し、前記本体の側部外郭と前記固定金具とを嵌合により固定させるので、本体をキャビネットに容易に固定するできる加熱調理器を提供することができる。
【００２１】
また、前記本体の側部外郭と固定金具との嵌合は、本体の側部外郭に角穴を穿設し、固定金具に前記角穴と嵌合する突起またはフックを有してなるので、本体と固定金具との嵌合を確実に行なうことができる。
【００２２】
また、前記固定金具とキャビネットの固定をネジにより行うので、本体をキャビネットに確実に固定できる加熱調理器を提供することができる。
【００２３】
また、前記固定金具に、少なくとも前記本体の側部外郭側に突出部を有するフランジを設けたので、固定金具の本体側への傾きを抑えることができ、本体と固定金具との嵌合を確実に行なうことができる。
【００２４】
また、前記固定金具とキャビネットの固定をネジにより行うものであって、前記フランジをネジを中心に略円形形状に形成したので、固定金具の本体側への傾きを抑えかつバランスも良いので、本体と固定金具との嵌合を確実に行なうことができる。
【図面の簡単な説明】
【図１】この発明の実施の形態１である組込み式加熱調理器を示す要部断面図である。
【図２】この発明の実施の形態１である組込み式加熱調理器を示す固定金具の斜視図である。
【図３】この発明の実施の形態１である組込み式加熱調理器を示す側部外郭の固定金具との嵌合部分の拡大斜視図である。
【図４】この発明の実施の形態１である組込み式過熱調理器を示す固定金具の側部外郭との固定部分の拡大断面図である。
【図５】この発明の実施の形態２である組込み式加熱調理器を示す要部断面図である。
【図６】この発明の実施の形態２である組込み式加熱調理器を示す固定金具の斜視図である。
【図７】この発明の実施の形態２である組込み式加熱調理器を示す側部外郭の固定金具との嵌合部分の拡大斜視図である。
【図８】この発明の実施の形態２である組込み式過熱調理器を示す固定金具の側部外郭との固定部分の拡大断面図である。
【図９】従来の組込み式加熱調理器を示す要部断面図である。
【符号の説明】
１　キャビネット、１ａ　角穴部、２　加熱調理器本体、３　側部外郭、４　プレート、４ａ　調理物、５　底部外郭、６　コイル、７　制御回路、８　固定金具、９　操作部、１０　接続コード、１１　角穴Ａ、１２　角穴Ｂ、１３　角穴Ｃ、１４　フックＡ、１５　フックＢ、１６　凸部、１７　ネジ。
【図１】
2004053239.tif 000003
【図２】
2004053239.tif 000004
【図３】
2004053239.tif 000005
【図４】
2004053239.tif 000006
【図５】
2004053239.tif 000007
【図６】
2004053239.tif 000008
【図７】
2004053239.tif 000009
【図８】
2004053239.tif 000010
【図９】
2004053239.tif 000011